【事件の表示】
　特願２０１０−５３３２９３「設定可能なモードを有する無線デバイス」拒絶査定不服審判事件〔平成２１年　５月１４日国際公開、ＷＯ２００９／０６２０８６、平成２３年　１月２７日国内公表、特表２０１１−５０４０１７〕について、次のとおり審決する。
【結　論】
　本件審判の請求は、成り立たない。
【理　由】
第１．手続の経緯
　
　本願は、２０１０年１１月７日（パリ条約による優先権主張、外国庁受理２００７年１１月７日、米国）を国際出願日とする出願であって、平成２４年３月５日付けで拒絶査定がなされ、これに対して、同年７月１３日に審判請求がなされると共に、同日付けで手続補正がなされたものである。  
　
第２．補正却下の決定
　
［補正却下決定の結論］
　
　平成２４年７月１３日付けの補正を却下する。
　
［理由］
　
１．本願発明と補正後の発明
　
　上記手続補正（以下、本件補正という。）は、平成２４年２月９日付け手続補正で補正された特許請求の範囲の請求項１について、次のように補正することを含むものである。
　
（１）補正前
　
「無線デバイスであって、
　ユーザ・インタフェースと、
　制御プロセッサと、
　前記制御プロセッサと結合された送信および受信回路と、
　メモリとを備え、前記メモリが、設定情報を格納するように構成され、前記無線デバイスのための代替の設定情報を含む少なくとも１つのユーザ定義セッティングを含む少なくとも１つの設定セグメントを備え、
　前記ユーザ・インタフェースは、ユーザが前記少なくとも１つのユーザ定義セッティングを前記制御プロセッサに対して送信するために前記ユーザ・インタフェースを使用することができるように構成され、
　前記制御プロセッサは、前記少なくとも１つのユーザ定義セッティングを使用して、前記設定セグメントにアクセスし、前記ユーザ定義セッティングに含まれる前記代替の設定情報を使用して前記無線デバイスを設定する前に、前記無線デバイスの少なくとも１つのアプリケーションあるいは少なくとも１つのモードと関連する現存する設定情報を前記メモリに格納するように構成され、
　前記制御プロセッサは、前記格納された現存する設定情報を使用して前記ユーザ定義セッティングを終了することを示すために前記ユーザが前記ユーザ・インタフェースを使用すると、前記無線デバイスの前記設定を戻すように構成される無線デバイス。」（以下、「本願発明」という。）
　
（２）補正後
　
「無線デバイスであって、
　ユーザ・インタフェースと、
　制御プロセッサと、
　前記制御プロセッサと結合された送信および受信回路と、
　メモリとを備え、前記メモリが、設定情報を格納するように構成され、前記無線デバイスのための代替の設定情報を含む少なくとも１つのユーザ定義セッティングを含む少なくとも１つの設定セグメントを備え、
　前記ユーザ・インタフェースは、ユーザが前記少なくとも１つのユーザ定義セッティングを前記制御プロセッサに対して送信するために前記ユーザ・インタフェースを使用することができるように構成され、
　前記制御プロセッサは、前記少なくとも１つのユーザ定義セッティングを使用して、前記設定セグメントにアクセスし、前記ユーザ定義セッティングに含まれる前記代替の設定情報を使用して前記無線デバイスを設定する前に、前記無線デバイスの少なくとも１つのアプリケーションあるいは少なくとも１つのモードと関連する現存する設定情報を前記メモリに格納するように構成され、
　前記制御プロセッサは、前記格納された現存する設定情報を使用して前記ユーザ定義セッティングを終了することを示すために前記ユーザが前記ユーザ・インタフェースを使用すると、前記無線デバイスの前記設定を戻すように構成され、
　前記設定セグメントが、標準設定情報を含む予め定義されたセッティングを更に備え、
　前記無線デバイスのポジションを判定するためのポジショニングユニットと、前記少なくとも１つのユーザ定義セッティングあるいは前記少なくとも１つの予め定義されたセッティングのどちらと前記無線デバイスのポジションが一致しているかを判定するロケーティングユニットとにアクセスし、前記制御プロセッサに対して、前記無線デバイスを設定させる、無線デバイス。」（以下、「補正後の発明」という。）
　
２．補正の内容
　
　本件補正は、願書に最初に添付した明細書、特許請求の範囲又は図面に記載した事項の範囲内において、
「前記設定セグメントが、標準設定情報を含む予め定義されたセッティングを更に備え、
　前記無線デバイスのポジションを判定するためのポジショニングユニットと、前記少なくとも１つのユーザ定義セッティングあるいは前記少なくとも１つの予め定義されたセッティングのどちらと前記無線デバイスのポジションが一致しているかを判定するロケーティングユニットとにアクセスし、前記制御プロセッサに対して、前記無線デバイスを設定させる」という構成を付加するものであり、
　「設定セグメント」に関し、「前記設定セグメントが、標準設定情報を含む予め定義されたセッティングを更に備え」と限定し、
　無線デバイスの「設定」に関して「前記無線デバイスのポジションを判定するためのポジショニングユニットと、前記少なくとも１つのユーザ定義セッティングあるいは前記少なくとも１つの予め定義されたセッティングのどちらと前記無線デバイスのポジションが一致しているかを判定するロケーティングユニットとにアクセスし、前記制御プロセッサに対して、前記無線デバイスを設定させる」と限定し、特許請求の範囲を減縮するものである。
　したがって、本件補正は、特許法第１７条の２第３項（新規事項）及び特許法１７条の２第５項（補正の目的）の規定に適合している。
　そこで、補正後の発明が、特許出願の際独立して特許を受けることができるものであるか否かについて検討する。
　
３．独立特許要件について
　
（１）補正後の発明
　上記１．（２）で認定したとおりである
　
（２）引用発明
　
　原査定の拒絶の理由に引用された米国特許出願公開第２００４／０２０３７６８号明細書（以下、「引用例」という。）には、「SYSTEM,METHOD,AND APPARATUS FOR AUTOMATICALLY SELECTING MOBILE DEVICE PROFILES」(当審訳：「モバイルデバイスプロファイルを自動的に選択するためのシステム、方法及び装置」)に関し図面とともに以下の記載がある。
　
イ．「[0033] Generally, the present invention provides a manner for automatically updating a wireless/mobile device's active settings or profile based on the location of the mobile device. A software module (generally referred to herein as a profile agent) available to the mobile device automatically switches between a plurality of profiles depending on the location of the mobile device. One or more profile points are implemented to provide location indications via wireless/over-the-air (OTA) technologies to allow the mobile device to determine which profile area the mobile device is currently within. Based on this location information, the profile agent can automatically (or via reasonably limited user interaction) change the profile to one that is appropriate for the location in which the mobile device is currently operating. 
[0034] A mobile device profile refers to any number of settings applied to mobile devices, and/or agents, applications, or other software operable on mobile devices. For example, mobile devices such as wireless telephones typically have configurable and/or adjustable features, such as ringing volume, ringing tones, ringing modes (e.g., ring versus vibrate), business or personal call screening/filtering, and so forth. Depending on the particular situation or location of the mobile device, the mobile device user may want to change those settings. For example, while in a meeting, the user may want to turn off the mobile device, turn down/off the ringing volume, or change the ringing mode to vibrate rather than produce an audible sound. As another example, the user may want to increase the volume while in a noisy environment, like some outdoor situations, or while driving an automobile, or while listening to a stereo, television, etc. Yet another example is where the user wants to filter certain calls at a given time. The user may want to send non-urgent business calls (e.g., calls from certain business associates) when the user is not at work or is otherwise on personal time. On the other hand, the user may want to filter certain personal calls while at the office. These and a multitude of other situations may cause the user to modify the settings on the mobile device to accommodate those situations. 
[0035] These settings adjustments can be collectively changed based on the situation by creating profiles. One profile may be, for example, a private profile for receiving only private calls or those from very important persons while at home or otherwise on personal time. Another profile can be an outdoor profile that increases the ringing volume and/or changes the ringing tone so that it can be better heard outdoors, in an automobile, or in other more noisy environments. In other words, selection of a profile can change one, or multiple mobile device settings to accommodate the particular situation/location in which the mobile device is being used. 」（３頁右欄〜４頁左欄）
当審訳
「[0033]本発明は概して、モバイルデバイスの位置に基づいたワイヤレス/モバイルデバイスの動的な設定あるいは「プロファイル」を自動的に更新する方法を提供する。モバイルデバイスに利用可能なソフトウェアモジュール(一般に、ここではプロファイルエージェントと呼ぶ)は、自動的にモバイルデバイスの位置に対応する複数のプロファイルを切り替える。１つ以上のプロファイルポイントは、モバイルデバイスが現在どのプロファイルエリア内に位置するか決めることを可能にするワイヤレス/over-the-air(OTA)技術が用いられる。この位置情報に基づいて、プロファイルエージェントは、自動的に(あるいは適度に限定的なユーザーとの対話処理によって)モバイルデバイスが現在作動している位置に適切な１つのプロファイルに切り替えることができる。
[0034]モバイルデバイス「プロファイル」は、モバイルデバイス、および／またはエージェント、アプリケーション、あるいはモバイルデバイス上で動作可能な他のソフトウェアに適用される任意の数の設定を意味する。例えば、典型的には無線電話のようなモバイルデバイスでは、呼出音量、呼出音、モード(例えば、鳴る，振動する)、ビジネスあるいはプライベート通話スクリーニング／フィルタリングなどの設定または調整を可能とする特徴を有する。モバイルデバイスの周囲の状況や位置によって、モバイルデバイスユーザーはそれらの設定の変更を希望するかもしれない。例えば、会議中、ユーザーは、モバイルデバイスを切る、呼出音量を下げる／止める、モードを鳴動から振動に変更する、ことを望むかもしれない。別の例として、ノイズの多い環境や、アウトドアの状況、自動車を運転する間、あるいはステレオ、テレビを聞いている間などに、ユーザーはボリュームを増加させたいかもしれない。また、別の例はユーザーが所定の時間に特定の呼び出しをフィルタしたい場合である。ユーザーが働いていないか、プライベートな時間である場合、ユーザーは非緊急のビジネス呼び出し(例えばある仕事関係者からの呼び出し)をフィルタしたいかもしれない。他方では、オフィスにいる間、ユーザーはプライベートな通話をフィルタしたいかもしれない。これらおよび多くの他の状況は、ユーザーにそれらの状況を提供するモバイルデバイス上のセッティングを修正させる。
[0035]これらの設定の調節は、「プロファイル」の作成により一括して変更可能である。例えば、1つのプロファイルは、家で、あるいはプライベートな時間において、まさに重要人物からのプライベートな呼び出しだけを受けるためのプライベートプロファイルとすることができる。別のプロファイルは、アウトドア、自動車、あるいはノイズの多い環境の中で呼出し音を聞くことができるように、呼出音量を増加させてかつ、または、呼出音を変更するアウトドアプロファイルになりえる。言いかえれば、プロファイルの選択は、モバイルデバイスが使用されている1つ、あるいはいくつかの、特定の状況/位置に対応するモバイルデバイスの設定を変更するものである。」
　
ロ．「[0052] The mobile devices described in connection with the present invention may be any number of wireless devices incorporating user profile information, such as wireless/cellular telephones, personal digital assistants (PDAs), or other wireless handsets, as well as portable computing devices capable of wireless communication. The mobile devices utilize computing systems to control and manage the conventional device activity as well as the functionality provided by the present invention. Hardware, firmware, software or a combination thereof may be used to perform the various profile agent functions, display presentations, and operations described herein. An example of a representative mobile device computing system capable of carrying out operations in accordance with the invention is illustrated in FIG. 3 . 
[0053] The exemplary mobile computing arrangement 300 suitable for performing the operations in accordance with the present invention includes, for example, a processing/control unit 302 , such as a microprocessor, reduced instruction set computer (RISC), or other processing module. The processing unit 302 need not be a single device, and may include one or more processors or circuits. For example, the processing unit may include a master processor and associated slave processors coupled to communicate with the master processor. 
[0054] The processing unit 302 controls the basic functions of the mobile device as dictated by programs available in the program storage/memory. Thus, the processing unit 302 executes the functions associated with the profile agent of the present invention. More particularly, the program storage/memory 304 may include an operating system and the profile agent 306 for carrying out functions and applications on the mobile device. For example, the program storage 304 may include one or more of read-only memory (ROM), flash ROM, programmable and/or erasable ROM, random access memory (RAM), subscriber interface module (SIM), wireless interface module (WIM), smart card, or other removable memory device, etc. The profile agent may also be transmitted to the mobile computing arrangement 300 via data signals, such as being downloaded electronically via a network or collection of networks, including wireless and landline networks such as the Internet. 
[0055] The program storage/memory 304 may also be used to store data, such as the various user profiles in accordance with the present invention. In one embodiment of the invention, the user profiles are stored in non-volatile electrically-erasable, programmable ROM (EEPROM), flash ROM, etc. so that the user profiles are not lost upon power down of the mobile device. 」（５頁右欄〜６頁左欄）
当審訳
「[0052]本発明に関して記述されたモバイルデバイスは、無線通信に有能なポータブルコンピューティング装置と同様にワイヤレス/携帯電話、携帯情報端末(PDA)あるいは他の無線ハンドセットのようなユーザープロファイル情報も組込む無線デバイスの任意のものでよい。モバイルデバイスは、本発明によって提供される機能と同様に従来の装置アクティビティもコントロールし管理するためにコンピューティングシステムを利用する。ハードウェア、ファームウェア、ソフトウェアあるいはそのコンビネーションは様々なプロファイルエージェント機能、ディスプレイプレゼンテーション、およびここに記述されたオペレーションを行なうために使用されてもよい。発明に従ってオペレーションを実行することができる代表的なモバイルデバイスコンピューティングシステムの一例は、図３に示される。
[0053]本発明に従ってオペレーションを行なうのにふさわしい典型的なモバイルコンピューティング配置300は、例えば、マイクロプロセッサー、縮小命令型コンピューター(RISC)あるいは他の処理モジュールのような演算処理/制御装置302を含んでいる。演算処理装置302は単一デバイスである必要がなく、１以上のプロセッサあるいは回路を含んでもよい。例えば、演算処理装置はマスタプロセッサ、およびマスタプロセッサと通信するためにつながれた、関連するスレーブプロセッサーを含んでもよい。
[0054]演算処理装置302は、プログラムストレージ/メモリに記述されるようなプログラムにより、モバイルデバイスの基本機能をコントロールする。したがって、演算処理装置302は、本発明のプロファイルエージェントに関連した機能を実行する。より詳細には、プログラムストレージ/メモリ304は、モバイルデバイス上の機能およびアプリケーションを実行するためのオペレーティングシステムおよびプロファイルエージェント306を含んでいる。例えば、プログラムストレージ304は、読み取り専用メモリ(ROM)、フラッシュROM、プログラム可能でかつ、または消去可能なROM、ランダムアクセス記憶装置(RAM)、加入者インタフェースモジュール(SIM)、無線インタフェースモジュール(WIM)、スマートカードあるいは他のリムーバブルメモリ装置の1つ以上などを含むことができる。プロファイルエージェントも、インターネットのようなワイヤレスや有線のネットワークの集合によって電子的にダウンロードされるデータ信号によりモバイルコンピューティング装置300に送信することもできる。
[0055]プログラムストレージ/メモリ304も本発明に従う様々なユーザープロファイルのデータを格納するために使用されてもよい。発明の１つの実施例では、ユーザープロファイルが不揮発性の消去可能なプログラマブルROM(EEPROM)、フラッシュROMなどに格納され、モバイルデバイスの電源ダウンでもユーザープロファイルは失われない。
　
ハ．「[0070]  As previously indicated, the profile agent will activate a profile when the mobile device is within an area of a registered profile point. The profile agent will cause the profile to be switched to a new profile where the mobile device moves into the area of a registered profile point. In addition, the profile agent may switch the profile to a general or default profile when the mobile device leaves the known location defined by, for example, a cell-ID and LAC. An example of a representative registration process is described in connection with FIG. 6 below. 
[0071]  FIG. 6 , including FIGS. 6A-6E , illustrates a representative user interface that presents visual displays and facilitates graphical input, whereby profile points may be registered and affiliated with the desired profile characteristics. In this representative example, a GUI is used as the user interface mechanism. However, it will be apparent to those skilled in the art from the description provided herein that the user interface may be any user interface, including the use of one or more predefined buttons, user-defined macro buttons, voice/sound commands, a trackball, a mouse, touch screen, text entry, or any other known user-input mechanism or combination thereof. 
[0072]  A first display screen 600 A shown in FIG. 6A illustrates an example of one manner in which a user of a mobile device can designate a particular profile. The representative profiles displayed include a general profile 602 , silent profile 604 , meeting profile 606 , outdoor profile 608 , private profile 610 , and an automatic profile 612 . The user can select any of these (or other) profiles. For example, selection of the general profile 602 selects a default profile, such as a profile that includes standard profile settings. Standard profile settings may include, for example, a standard ring volume, no call filtering, etc. Selection of the silent profile 604 may be used to reduce or eliminate ring volume. The silent profile 604 may optionally to identify actions such as incoming calls by way of visual indication, vibration, etc. The meeting profile 606 may also reduce or eliminate ring volume and/or identify calls visually or via vibration, and may also filter calls to only allow certain business calls to be passed through to the mobile device. The outdoor profile 608 may be used to increase ring volume, change the ring tone, etc. to account for characteristics such as higher surrounding noise. The various profiles described in connection with FIG. 6A are merely representative, as any features may be associated with any desired profile label. 
[0073]  Designation of the automatic profile 612 allows for automatic profile selection in accordance with the present invention. A cursor or other highlighting tool can be moved to highlight the automatic profile 612 label. Selection of the automatic profile 612 can be accomplished in any known manner, such as by activating a select icon 614 . Selection of the automatic profile 612 presents display screen 600 B in one embodiment of the invention. Display screen 600 B presents one or more options associated with configuring the automatic profile selection in accordance with the present invention. In the illustrated embodiment, the various configuration options include switch automatic 620 , switch interactive 622 , register new location 624 , update location 626 , view locations 628 , and delete location 630 . Selection of the switch automatic option 620 configures the profile agent to automatically switch profiles depending on the location and profile points available. Similarly, the switch interactive option 622 configures the profile agent to automatically initiate interactive profile switching from which the user can be triggered to assist in one or more particular profile switching decisions. 
[0074]  As previously indicated, profile points are registered in order that the profile agent knows which locations/profile points are intended to cause automatic or interactive switching in accordance with the invention. The registration process may be initiated by selecting the register new location option 624 . This can be initiated, for example, by highlighting the register new location option 624 and choosing the select icon 632 . Where the mobile device is located within the range of a profile point, and the user selects the register new location option 624 , that profile point can thus become associated with a particular profile. If the mobile device is within the range of the profile point upon selection of the register new location option 624 , in indication to that effect can be provided via the mobile device display as shown in FIG. 6C . The display screen 600 C of FIG. 6C may provide a visual indication (and/or other indication such as audio indication) that a new profile point has been registered. Because identifiers are provided by the profile point as previously described in connection with FIG. 2 , the profile agent of the mobile device will be in possession of an identifier, such as a Bluetooth ID where the profile point implements Bluetooth technology. This can be seen on the representative display screen 600 D of FIG. 6D , where the profile point identifier (PP ID) 640 may optionally be displayed. 
[0075]  At this point, the mobile device user may designate at least one profile to be associated with the newly registered profile point. In this example, a plurality of available profile options are presented via the mobile device from which the user can select at least one profile to be associated with that location. The representative profiles include a general profile 642 , a silent profile 644 , a meeting profile 646 , an outdoor profile 648 , and a private profile 650 . These profile selections may (but do not need be) analogous to the corresponding profile selections 602 , 604 , 606 , 608 , 610 described in connection with FIG. 6A . In the illustrated embodiment has highlighted the private profile 650 , and upon designation of this profile such as by choosing the select icon 652 , the private profile is now associated with the newly registered profile point. A confirmation that the new location has been saved may be presented to the user, such as shown in display screen 600 E of FIG. 6E . At this point, the new location has been registered and associated with a particular profile, so that upon subsequent entry to that location (i.e., within range of the particular profile point) the private profile will automatically (or interactively) be selected. Any number of profile points may be registered in a similar fashion, limited only by the number of available profile points, and memory or other operational constraints of the mobile device.」
当審訳 
「[0070]前述したように、モバイルデバイスが「登録」されたプロファイルポイントのエリア内にある時、プロファイルエージェントはプロファイルを活性化する。モバイルデバイスが登録されたプロファイルポイントのエリアへ移動するところで、プロファイルエージェントはプロファイルを新しいプロファイルに切り替える。さらに、モバイルデバイスが例えばセルIDおよびLACによって既知の位置を定義しておく場合、プロファイルエージェントはプロファイルを一般かデフォルトのプロファイルに切り替えてもよい。代表的な登録手続の一例は、図6に関して以下に記述される。
[0071]図6A-6Eを含む図6は、ビジュアルディスプレイとグラフィカル入力が可能なユーザインターフェースを示し、それによってプロファイルポイントには希望のプロファイル特性の付属と登録が行われる。この代表的な例において、GUIはユーザインターフェース機構として使用される。しかしながら、ユーザインターフェースとして、１個以上の事前に定義されたボタン、ユーザ定義のマクロボタン、ボイス/音コマンド、トラックボール、マウス、タッチスクリーン、テキスト入力あるいはその他の既知のユーザー入力機構またはその組み合わせによる任意のユーザインターフェースを用いることは、ここに提供される記述から当業者に明白だろう。
[0072]図6Aの中で示される最初の表示画面600Aは、モバイルデバイスのユーザーが特別のプロファイルを指示することができる1つの方法の例である。表示された代表的なプロファイルはジェネラルプロファイル602、サイレントプロファイル604、ミーティングプロファイル606、アウトドアプロファイル608、プライベートプロファイル610およびオートマチックプロファイル612を含んでいる。ユーザーは、これらの(あるいは他の)プロファイルのうちの何れかを選択することができる。例えば、ジェネラルプロファイル602のセレクションは、標準プロファイルセッティングを含むデフォルトプロファイルをプロファイルとして選択する。標準プロファイルセッティングは例えば、標準の呼出音量、呼出フィルタリング無しなどを含んでいるかもしれない。サイレントプロファイル604の選択は、呼出音量を小さくするか無音のために使用されてもよい。サイレントプロファイル604は可視表示、バイブレーションなどの着信に対するアクションを自由に設定できる。ミーティングプロファイル606は呼出音量を小さくするかもしれないし、無音とするかもしれない、そして、特定された呼び出しを視覚表示あるいはバイブレーションによって識別してもよく、ビジネスに関する呼出しのみがモバイルデバイスに渡されるフィルターを用いてもよい。アウトドアプロファイル608は、より高い周囲のノイズに対応するために呼出音量の増加、呼出し音の変更、などを行うものとしてもよい。どんな特徴も任意のプロファイルラベルに対応付けられるため、図6Aに記述された様々なプロファイルは単に代表的なものである。
[0073]オートマチックプロファイル612の指示は、本発明による自動的なプロファイルセレクションを割り当てるものである。カーソルあるいは他の強調表示ツールはオートマチックプロファイル612ラベルを強調するために移動させることができる。オートマチックプロファイル612の「選択」は、アイコン614の活性化のように任意の既知の方法で遂行することができる。オートマチックプロファイル612の選択を表示する画面600Bは、発明の1つの実施例である。表示画面600Bは、本発明に従って自動的なプロファイルセレクションを形成することに関連した1つ以上のオプションを示す。図示の例では、自動切替620、対話型切替622、新しい位置の登録624、位置の更新626、位置を表示628、位置の削除630の様々な設定オプションを含んでいる。自動切替オプション620の選択はプロファイルエージェントが位置に対応するプロファイルに自動的に切替えることを可能にする。同様に、対話型オプション622は、プロファイルエージェントが自動的に形成するプロファイルへの切替えを、ユーザーによる一つ以上の切替え決定により実行する。
[0074]前記したように、発明に従って自動か対話型の切替えを、プロファイルエージェントがどの位置/プロファイルポイントで行うか知るために、プロファイルポイントが登録される。登録手続は、例えば、新しい位置の登録オプション624と選択アイコン632のハイライトにより始められる。モバイルデバイスがプロファイルポイントの範囲内にあり、ユーザーが新しい位置を登録するオプション624を選択すると、そのプロファイルポイントを特定のプロファイルに対応付けることができる。もしもモバイルデバイスがプロファイルポイントの範囲内にあり、新しい位置を登録するオプション624が選択されると、図6Cに示されるような表示をモバイルデバイスディスプレイによって提供することができる。図6Cの表示画面600Cは、新しいプロファイルポイントが登録される指示(またはオーディオ指示のような他の指示も)提供する。先に図2に関して記述されるよう、プロファイルポイントによって識別子が提供されるので、モバイルデバイスのプロファイルエージェントはBluetooth技術によるBluetooth IDのように、プロファイルポイントの識別子を有する。プロファイルポイント識別子(PP ID)640は、図6Dに示す表示画面600Dのように表示させることができる。
[0075]このポイントでは、モバイルデバイスユーザーは、新しく登録されたプロファイルポイントに関連する少なくとも1つのプロファイルを指示する。この例において、多くの利用可能なプロファイルオプションが、ユーザーがその位置に関連する少なくとも1つのプロファイルを選ぶことができるようモバイルデバイスによって示される。代表的なプロファイルはジェネラルプロファイル642、サイレントプロファイル644、ミーティングプロファイル646、アウトドアプロファイル648およびプライベートプロファイル650を含んでいる。これらのプロファイルの選択は図6Aに関して記述された、対応するプロファイルの選択602、604、606、608、610と同様である(しかし同じでなくとも良い)。図示の実施例では、プライベートプロファイル650が強調され、また、選択アイコン652を選ぶことによって、プライベートプロファイルは今新しく登録されたプロファイルポイントに関連づけられる。新しい位置が保存されたとことの確認は、図6Eの表示画面600Eに示されるようにユーザーに提示される。このポイントでは、新しい位置は特定のプロファイルに関連付けて登録された。その結果、その位置(つまり特定のプロファイルポイントの範囲内の)への再来に際し、プライベートプロファイルが自動的に(あるいは対話式に)選択される。プロファイルポイントの数は、利用可能なプロファイルポイントの数、メモリあるいはモバイルデバイスの他の運用上の拘束によってのみ制限されて、同様の方法で登録される。
　
ニ．「[0082]  FIG. 8 is a flow diagram of one embodiment of a manner in which mobile device profiles are automatically updated, based on at least the location of the mobile device, in accordance with the principles of the present invention. One or more profile points are registered 800 , so that entry of the mobile device into locations defined by the registered profile points can be determined. The profile agent searches 802 for registered profile points via a wireless transmission technology, including local positioning technologies such as Bluetooth, UWB radio, etc. In other embodiments where great precision is not required, even cellular technology may be used as the wireless transmission technology, where a cell base station serves as the profile point. If a registered profile point is found 804 , activation of the profile associated with the registered profile point is initiated 806 . In one embodiment of the invention, this profile activation initiation includes automatically changing the profile without user intervention. In another embodiment of the invention, the profile activation is initiated automatically, and the user may be prompted to select one or more profile options in response thereto. 
[0083]  FIG. 9 illustrates a more particular embodiment of a method for automatically updating mobile device profiles in accordance with the present invention. Registration of profile points may be effected in a number of ways, including user-registration 900 . An example of such user-registration was described in connection with FIG. 6 . Another example of registration of profile points is where one or more profile points are pre-registered 902 with the mobile device. For example, one or more pre-registered profile points may be supplied with a mobile device upon purchase of the mobile device, or equipped with a Subscriber Interface Module (SIM), Wireless Interface Module (WIM), smart card, or other memory device. 
[0084]  Profile point queries are sent 904 according to predetermined query dispatch parameters. For example, the predetermined query dispatch parameters may configure the profile agent to dispatch profile point queries periodically, upon the occurrence of predetermined triggering events, at specific times, etc. If the profile agent associated with the mobile device does not receive a profile point identifier(s) in response as determined at decision block 906 , profile point queries will continue to be sent in accordance with the query dispatch parameters. More particularly, where the query dispatch parameter 908 is a predetermined time duration such that the profile point queries will be sent substantially periodically, it is determined 910 whether the predetermined time duration indicates that the profile agent is ready to dispatch another profile point query. 
[0085]  If the profile agent receives a profile point identifier in response to the profile point query as determined at decision block 906 , it is determined 912 whether the profile point identifier matches a profile point that has been registered with the profile agent. If not, the profile is not updated, and the periodic dispatch of profile point queries can continue. However, the user may at such time opt to register the particular profile point and associated a profile with that location. 
[0086]  If the profile point identifier (PP ID) matches a registered profile point as determined at decision block 912 , the profile corresponding to that location/profile point is automatically or interactively activated 914 . For example, in one embodiment, a match of the PP ID and a registered profile point will automatically activate a profile associated with that registered profile point. As long as the mobile device stays at that location and does not leave as determined at decision block 916 , the profile will remain unchanged, unless the user manually changes the profile. When the mobile device leaves that location associated with the active profile point as determined at decision block 916 , a number of different actions may be taken, including taking no action until another profile point identifier is received by the profile agent. However, in the illustrated embodiment, it is determined 918 whether the user (and consequently the mobile device) have moved to a location where the cell-ID and LAC have changed. If not, continued dispatch of profile point queries occurs. If the cell-ID and LAC have changed, the profile may be automatically changed to a default profile, such as a general profile, as shown at block 920 . 」（９頁右欄−１０頁左欄）
当審訳
「[0082]図8は、本発明の原理に従い、少なくともモバイルデバイスの位置に基づいて、モバイルデバイスプロファイルが自動的に更新される方法の流れ図である。１つ以上のプロファイルポイントが登録800されているため、プロファイルポイントの登録により定義された位置へモバイルデバイスが入ったことが決定される。プロファイルエージェントは、Bluetooth、UWB無線通信などのような近距離のポジショニング技術を含むワイヤレス送信技術により、登録されたプロファイルポイントを探索802する。高い精度が必要でなければ、セル基地局をプロファイルポイントとしてもよい。登録されたプロファイルポイントが見つかった場合804、登録されたプロファイルポイントに関連したプロファイルの活性化が始められる806。発明の１つの実施例では、プロファイルの活性化は自動的に開始され、ユーザーの介在なくプロファイルが変更される。発明の別の実施例では、プロファイル活性化は、１つ以上のプロファイルオプションを選択するよう、自動的にユーザに促すことで開始される。
[0083]図9は、本発明による、モバイルデバイスプロファイルを自動的に変更する方法のより詳しい具体例を示す。プロファイルポイントの登録は、ユーザ登録900を含む多くの方法で行うことができる。そのようなユーザ登録の一例は図6に示されている。他のプロファイルポイント登録の例は、モバイルデバイスに予め登録された１以上のプロファイルポイント902である。例えば、予め登録された１以上のプロファイルポイントのモバイルデバイスへの供給は、モバイルデバイスの購入によるかもしれないし、あるいは加入者インタフェースモジュール(SIM)、無線インタフェースモジュール(WIM)、スマートカードあるいは他のメモリ素子の装着によることができる。
[0084]プロファイルポイントクエリが予め定義したクエリ送信パラメーターに従って送られる904。例えば、予め定義したクエリ送信パラメーターは、予め定義したイベントが生じた特定の時点などで、プロファイルエージェントがプロファイルポイントクエリを周期的に送るように構成される。もしも、モバイルデバイスが、判定ブロック906で判定される応答としてプロファイルポイント識別子を受け取らない場合、プロファイルエージェントはプロファイルポイントクエリを、クエリ送信パラメーターに従って送り続ける。詳細には、クエリ送信パラメーター908はプロファイルポイントクエリが送信されるために必要な間隔のための所定の時間であり、それにより次のプロファイルポイントクエリを送る準備のため所定時間が経過したか判断910される。
[0085]プロファイルエージェントがプロファイルポイントクエリの応答としてプロファイルポイント識別子を受け取ったことが判定ブロック906により判定されると、プロファイルポイント識別子がプロファイルエージェントによって登録されたプロファイルポイントと一致するかどうかを判断912する。一致しなければ、プロファイルは更新されず、また、プロファイルポイントクエリの周期的な送信は継続される。しかしながら、ユーザーは、そのような場合、特にその位置を、プロファイルを関連させたプロファイルポイントとして登録することができる。
[0086]プロファイルポイント識別子(PP ID)と登録されたプロファイルポイントとの一致が判定ブロック912で判定された場合、その位置/プロファイルポイントに対応するプロファイルは自動的に、あるいは対話式で活性化される914。例えば、1つの具体例では、PP IDが一致する登録されたプロファイルポイントは、その登録されたプロファイルポイントに関連したプロファイルを自動的に活性化する。ユーザーが手動でプロファイルを変更しないかぎり、モバイルデバイスがその位置に留まり、離れたことが判定ブロック916で判定されるまで、プロファイルはそのままである。活性化されたプロファイルポイントに関連する位置からモバイルデバイスが離れたことが判定ブロック916で判定された時、別のプロファイルポイント識別子がプロファイルエージェントによって受け取られるまで何もしないことを含め、多くの異なる動作が可能である。しかしながら、図示の具体例では、ユーザー(従ってモバイルデバイス)が、セルIDおよびLACが変わる位置へ移動したかどうかの判定918がなされる。判定されなければ、プロファイルポイントクエリの継続的な送信が行われる。セルIDおよびLACが変わった場合、ブロック920で示されるように、プロファイルは「一般」プロファイルのようなデフォルトプロファイルに自動的に変更される。」
　
　上記引用例の記載及び図面並びにこの分野における技術常識を考慮すると、
　
　上記イ．の［0033］に「本発明は概して、モバイルデバイスの位置に基づいたワイヤレス/モバイルデバイスの動的な設定あるいは「プロファイル」を自動的に更新する方法を提供する。」と記載されているように、引用例１は、「位置」に基づき「モバイルデバイス」の「設定」や「プロファイル」を自動的に切り替えることに関するものである。
　また、［0034］の、「モバイルデバイス『プロファイル』は、モバイルデバイス、および／またはエージェント、アプリケーション、あるいはモバイルデバイス上で動作可能な他のソフトウェアに適用される任意の数の設定を意味する。」、また［0035］の、「これらの設定の調節は、「プロファイル」の作成により一括して変更可能である。」、また、「言いかえれば、プロファイルの選択は、モバイルデバイスが使用されている1つ、あるいはいくつかの、特定の状況/位置に対応するモバイルデバイスの設定を変更するものである。」の記載を参照すると、「複数」の「プロファイル」の選択によって、「モバイルデバイス」の１つ以上の設定を一括して設定するものといえる。
　そして、［0033］の「モバイルデバイスに利用可能なソフトウェアモジュール(一般に、ここではプロファイルエージェントと呼ぶ)は、自動的にモバイルデバイスの位置に対応する複数のプロファイルを切り替える。」には、「プロファイル」は「プロファイルエージェント」により切り替えられることが示されている。
　
　上記ロ．には、「モバイルデバイス」が「演算処理装置」や「メモリ」を有するものであることが示され、[0054]の「演算処理装置302は、プログラムストレージ/メモリに記述されるようなプログラムにより、モバイルデバイスの基本機能をコントロールする。したがって、演算処理装置302は、本発明のプロファイルエージェントに関連した機能を実行する。」には、「プロファイルエージェント」が「演算処理装置によって実行される」ことが記載されている。
　また、［0055］の「プログラムストレージ/メモリ304も本発明に従う様々なユーザープロファイルのデータを格納するために使用されてもよい。」には、「ユーザプロファイル」が「メモリ」に「格納」されることが記載されている。
　
　上記ハ．[0071]の、「図6A-6Eを含む図6は、ビジュアルディスプレイとグラフィカル入力が可能なユーザインターフェースを示し、それによってプロファイルポイントには希望のプロファイル特性の付属と登録が行われる。」、また、[0072]の「図6Aの中で示される最初の表示画面600Aは、モバイルデバイスのユーザーが特別のプロファイルを指示することができる1つの方法の例である。表示された代表的なプロファイルはジェネラルプロファイル602、サイレントプロファイル604、ミーティングプロファイル606、アウトドアプロファイル608、プライベートプロファイル610およびオートマチックプロファイル612を含んでいる。ユーザーは、これらの(あるいは他の)プロファイルのうちの何れかを選択することができる。例えば、ジェネラルプロファイル602のセレクションは、標準プロファイルセッティングを含むデフォルトプロファイルをプロファイルとして選択する。標準プロファイルセッティングは例えば、標準の呼出音量、呼出フィルタリング無しなどを含んでいるかもしれない。サイレントプロファイル604の選択は、呼出音量を小さくするか無音のために使用されてもよい。サイレントプロファイル604は可視表示、バイブレーションなどの着信に対するアクションを自由に設定できる。ミーティングプロファイル606は呼出音量を小さくするかもしれないし、無音とするかもしれない、そして、特定された呼び出しを視覚表示あるいはバイブレーションによって識別してもよく、ビジネスに関する呼出しのみがモバイルデバイスに渡されるフィルターを用いてもよい。アウトドアプロファイル608は、より高い周囲のノイズに対応するために呼出音量の増加、呼出し音の変更、などを行うものとしてもよい。どんな特徴も任意のプロファイルラベルに対応付けられるため、図6Aに記述された様々なプロファイルは単に代表的なものである。」の記載を参照すると、モバイルデバイスを設定するための「プロファイル」は、「標準プロファイルセッティング」等の「予め定義されたプロファイル」を含む一方、「ユーザ」により、任意のラベルを有する「プロファイル」にどのような特徴も自由に「設定」することが可能な「ユーザ設定プロファイル」を含むものといえる。そして、「ユーザ設定プロファイル」は設定を任意に替えるものであるから、他のプロファイルを「代替」するものといえる。
　
　上記ニ．の「[0082]図8は、本発明の原理に従い、少なくともモバイルデバイスの位置に基づいて、モバイルデバイスプロファイルが自動的に更新される方法の流れ図である。１つ以上のプロファイルポイントが登録800されているため、プロファイルポイントの登録により定義された位置へモバイルデバイスが入ったことが決定される。」には、モバイルデバイスに登録された「プロファイルポイント」を用いて位置に基づくプロファイルの更新について示されている。
　また、「[0085]プロファイルエージェントがプロファイルポイントクエリの応答としてプロファイルポイント識別子を受け取ったことが判定ブロック906により判定されると、プロファイルポイント識別子がプロファイルエージェントによって登録されたプロファイルポイントと一致するかどうかを判断912する。」の記載を参照すると、「プロファイルエージェントによる、プロファイルポイント識別子の探索、受信、判定手段」によって、「モバイルデバイスの位置」を「判定」するものといえる。
　そして、「[0086]プロファイルポイント識別子(PP ID)と登録されたプロファイルポイントとの一致が判定ブロック912で判定された場合、その位置/プロファイルポイントに対応するプロファイルは自動的に、あるいは対話式で活性化される914。」とあるように、「判定手段により、前記モバイルデバイスが前記プロファイルポイントの一致していることを判定し、プロファイルエージェントが、プロファイルを選択する」ものといえる。
　加えて、「プロファイルの選択」は、「ユーザとの対話形式」で行うことについて示されており、その際、「ユーザインタフェースを使用する」ことは当然のことである。
　
　また、上記ニ．の[0086]には、「ユーザーが手動でプロファイルを変更しないかぎり、モバイルデバイスがその位置に留まり、離れたことが判定ブロック916で判定されるまで、プロファイルはそのままである。活性化されたプロファイルポイントに関連する位置からモバイルデバイスが離れたことが判定ブロック916で判定された時、別のプロファイルポイント識別子がプロファイルエージェントによって受け取られるまで何もしないことを含め、多くの異なる動作が可能である。しかしながら、図示の具体例では、ユーザー(従ってモバイルデバイス)が、セルIDおよびLACが変わる位置へ移動したかどうかの判定918がなされる。判定されなければ、プロファイルポイントクエリの継続的な送信が行われる。セルIDおよびLACが変わった場合、ブロック920で示されるように、プロファイルは「一般」プロファイルのようなデフォルトプロファイルに自動的に変更される。」とあるように、プロファイルポイント識別子の探索、受信、判定手段により、モバイルデバイスがプロファイルポイントを「離れた」ことが判定された場合、任意の設定によるプロファイルの変更が可能であることが示されている。
　
　以上を総合すれば、上記引用例には、
　
「モバイルデバイスであって、
　ユーザインタフェースと、
　演算処理装置と、
　前記演算処理装置によって実行されるプロファイルエージェントと、
　メモリとを備え、前記メモリがプロファイルを格納するように構成され、モバイルデバイスを設定するための代替のプロファイルを含む少なくとも一つのユーザ設定プロファイルを含む複数のプロファイルを備え、
　前記プロファイルエージェントによってプロファイルが選択され、前記ユーザインタフェースを使用するユーザとの対話形式で、モバイルデバイスが選択されたプロファイルによって設定されるように構成され、
　前記複数のプロファイルは、標準プロファイルセッティングを含む予め定義されたプロファイルを更に備え、
　前記モバイルデバイスの位置を判定するための、前記プロファイルエージェントによる、プロファイルポイント識別子の探索、受信、判定手段と、
　前記判定手段によるプロファイルポイントの識別子から、モバイルデバイスの位置がプロファイルポイントに、一致、あるいは離れたことを判定する手段と、
　前記プロファイルエージェントが、前記プロファイルを選択する、モバイルデバイス」の発明（以下、「引用発明」という。）が開示されている。
　
（３）対比判断
　
　引用発明と補正後の発明とを対比する。
　
　引用発明の「モバイルデバイス」は、無線による通信を行うデバイスであるから、補正後の発明の「無線デバイス」に相当する。
　
　引用発明の「ユーザインタフェース」，「演算処理装置」，「メモリ」は、明らかに補正後の発明の「ユーザ・インタフェース」，「制御プロセッサ」，「メモリ」にそれぞれ相当する。
　
　引用発明の「プロファイル」は、モバイルデバイスに関する１以上の設定を一括して設定するための「設定情報」であり、補正後の発明の「設定情報」及び「セッティング」に相当する。
　そして、引用発明の「ユーザ設定プロファイル」，「標準プロファイルセッティング」は、それぞれ、ユーザが定義した設定のための情報、および、予め定義された標準設定のための情報であるから、補正後の発明の「ユーザ定義セッティング」，「標準設定情報を含む予め定義されたセッティング」に相当する。
　
　引用発明の「前記ユーザインタフェースを使用するユーザとの対話形式で、モバイルデバイスが選択された前記プロファイルによって設定される」と、補正後の発明の、「前記ユーザ・インタフェースは、ユーザが前記少なくとも１つのユーザ定義セッティングを前記制御プロセッサに対して送信するために前記ユーザ・インタフェースを使用することができるように構成され」とを比較すると、引用発明の「プロファイル」は「モバイルデバイス」を「設定」するためのものであって、かつ、「少なくとも１つのユーザ定義プロファイル」を含むものである。
　一方、補正後の発明の、「セッティングを前記制御プロセッサに対して送信すること」は、「通信デバイス」を「設定」することである。
　したがって、両者は、「ユーザ・インタフェースは、ユーザが前記少なくとも１つのユーザ定義セッティングをモバイルデバイスに設定するために前記ユーザ・インタフェースを使用することができるように構成され」るものである点において共通する。
　
　引用発明の、「プロファイルポイント識別子の探索、受信、判定手段」は、モバイルデバイスの位置を判定するための手段であり、「ユニット」とすることも任意のものであるから、補正後の発明の「無線デバイスのポジションを判定するためのポジショニングユニット」に相当する。
　
　引用発明の、「モバイルデバイスの位置がプロファイルポイントに、一致、あるいは離れたことを判定する手段」は、モバイルデバイスの位置を判定し、プロファイルの変更を判定するための手段であり、「ユニット」とすることも任意のものであるから、補正後の発明の「前記少なくとも１つのユーザ定義セッティングあるいは前記少なくとも１つの予め定義されたセッティングのどちらと前記無線デバイスのポジションが一致しているかを判定するロケーティングユニット」に相当する。
　
　　したがって、本願補正発明と引用発明１とは、
　
（一致点）
　
「無線デバイスであって、
　ユーザ・インタフェースと、
　制御プロセッサと、
　メモリとを備え、前記メモリが、設定情報を格納するように構成され、前記無線デバイスのための代替の設定情報を含む少なくとも１つのユーザ定義セッティングを備え、
　前記ユーザ・インタフェースは、ユーザが前記少なくとも１つのユーザ定義セッティングを通信デバイスに設定するために前記ユーザ・インタフェースを使用することができるように構成され、
　標準設定情報を含む予め定義されたセッティングを更に備え、
　前記無線デバイスのポジションを判定するためのポジショニングユニットと、前記少なくとも１つのユーザ定義セッティングあるいは前記少なくとも１つの予め定義されたセッティングのどちらと前記無線デバイスのポジションが一致しているかを判定するロケーティングユニットとにアクセスし、前記制御プロセッサに対して、前記無線デバイスを設定させる、無線デバイス。」
　
　で一致し、相違点は次のとおりである。 
　
（相違点） 
　
（相違点１）
　補正後の発明は、「制御プロセッサと結合された送信および受信回路」を有し、「制御プロセッサ」に対して、ユーザ・インタフェースから「送信」が行われ、「制御プロセッサ」が無線デバイスの設定に関する制御を行うものとされているのに対し、引用発明は、「演算処理装置によって実行されるプロファイルエージェント」が無線デバイスの設定に関する制御を行うものであり、「制御プロセッサに対して送信」という動作や「送信および受信回路」のような回路構成について明らかでない点。 
　
（相違点２）
　補正後の発明は、「少なくとも１つの設定セグメント」を備えるものであるのに対し、引用発明は「複数のプロファイル」を有するものの、「セグメント」という構成について示されていない点。
　
（相違点３）
　補正後の発明は、「少なくとも１つのユーザ定義セッティングを使用して、前記ユーザ定義セッティングに含まれる代替の設定情報を使用して前記無線デバイスを設定する前に、前記無線デバイスの少なくとも１つのアプリケーションあるいは少なくとも１つのモードと関連する現存する設定情報を前記メモリに格納するように構成され、
　前記格納された現存する設定情報を使用して前記ユーザ定義セッティングを終了することを示すために前記ユーザが前記ユーザ・インタフェースを使用すると、前記無線デバイスの前記設定を戻すように構成され」ているのに対し、引用発明は、「モバイルデバイスの位置がプロファイルポイント」から「離れたことを判定」した場合に設定されるプロファイルは「現存する設定情報をメモリに格納」したものではない点。
　
（４）判断 
　
　相違点について検討する。
（相違点１）について
　「制御プロセッサ」が「送信および受信回路」等の回路を有することは、当然であり、また、「制御プロセッサ」が無線デバイス等の設定に関する制御を行う際には、何らかのソフトウエアアプリケーションを動作させ、ユーザからの入力をプロセッサに送って処理したり、デバイスに対する制御を行うことは技術常識である。
　したがって、相違点１は、実質的な相違ではない。
　
（相違点２）について
　補正後の発明の「設定セグメント」は、標準設定あるいはユーザ定義設定を格納するもの（明細書【００２２】）であり、また、「標準セッティング」や「ユーザ定義セッティング」に関する複数のファイルを有するもの（明細書【００２３】）である。
　引用発明の「少なくとも一つのユーザ設定プロファイルを含む複数のプロファイル」について、それぞれのプロファイルを「ファイル」としてメモリに格納することや、格納された「複数のファイル」を、「少なくとも１つのまとまり」として管理することはごく一般的なことである。
　そして、設定に関するファイルの「少なくとも１つのまとまり」について、補正後の発明のごとく、「設定セグメント」と称することは適宜なし得るものであり、格別のものではない。
　
（相違点３）について
　無線デバイスの設定を変更する際に現存の設定情報をメモリに格納し、変更された設定の終了の際、格納された設定情報を使用して無線デバイスの設定を戻すように構成することは周知の技術であり（例えば、原査定の拒絶の理由に引用文献３として示された欧州特許出願公開第１８５０６０８号明細書の[0060]-[0083]、及び、原査定の時に周知例として示された特開２００６−１４１０２４号公報の【００２４】−【００２７】，【００３０】，図１を参照。）、引用発明における「モバイルデバイスの位置がプロファイルポイント」から「離れたことを判定」した場合に設定される情報を、当該プロファイルポイントに至る前に設定されていた「現存する設定情報をメモリに格納」したものとすることは、当業者が容易に想到し得るものである。
　また、引用発明は、プロファイルの適用をユーザの操作によって行うことができるものであるから、設定情報を設定する際に「ユーザがユーザ・インタフェースを使用する」ことは、適宜なし得るものである。
　
　そして、補正後の発明の作用効果も引用発明及び周知の技術から当業者が予測し得る範囲のものである。
　
　したがって、補正後の発明は、引用発明及び周知の技術に基づいて当業者が容易に発明をすることができたものであり、特許法第２９条第２項の規定により、特許出願の際独立して特許を受けることができない。 
　
４．結語
　
　本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３．本願発明について
１．本願発明
　本件補正は上記のとおり却下されたので、本願発明は、上記「第２．補正却下の決定」の「１．本願発明と補正後の発明」の項で「本願発明」として認定したとおりである。
　
２．引用発明
　引用発明は、上記「第２．補正却下の決定」の項中の「（２）引用発明」及び「（３）対比」の項で認定したとおりである。 
　
３．判断
　本願発明は上記補正後の発明から、当該補正に係る構成を省いたものである。
　そうすると、本願発明の構成に当該補正に係る限定を付加した補正後の発明が、上記「第２．補正却下の決定」の項中の「３．独立特許要件について」の項で検討したとおり、引用発明及び周知の技術に基いて容易に発明をすることができたものであるから、上記補正後の発明から当該補正に係る限定を省いた本願発明も、同様の理由により、容易に発明をすることができたものである。
　
４．むすび
　以上のとおり、本願発明は、引用例に記載された発明及び周知技術に基づいて当業者が容易に発明をすることができたものであるから、特許法第２９条第２項の規定により特許を受けることができない。 
　よって、結論のとおり審決する。